(57)【要約】【課題】メディアの表面温度を測定するときの誤差を小さくできる記録装置を提供する。【解決手段】メディア９０の処理面９１に液体を吐出する記録ヘッドと、メディア９０をＹ方向に搬送する搬送部と、メディア９０の処理面９１とは反対側の被支持面９２を支持する支持面２１を有する支持部１２と、支持面２１に向けて第１赤外線９５を照射する照射部４５と、Ｙ方向に向けて、支持面２１に沿った気流６０を発生させる送風部４３と、メディア９０から放射される第２赤外線９６を非接触で検出する赤外線センサー６５と、を備え、赤外線センサー６５は、気流６０の外側に配置され、メディア９０から放射される第２赤外線９６を、気流６０の外側から検出する。【選択図】図２
2019177531.tif 000002
【特許請求の範囲】
【請求項１】
メディアの第１面に液体を吐出する記録ヘッドと、
前記メディアを搬送方向に搬送する搬送部と、
前記メディアの前記第１面とは反対側の第２面を支持する支持面を有する支持部と、
前記支持面に向けて赤外線を照射する照射部と、
前記搬送方向の上流側又は下流側に向けて、前記支持面に沿った気流を発生させる送風部と、
前記メディアから放射される赤外線を非接触で検出する検出部と、を備え、
前記検出部は、前記気流の外側に配置され、前記メディアから放射される赤外線を、前記気流の外側から検出することを特徴とする記録装置。
【請求項２】
請求項１に記載の記録装置であって、
前記検出部は、前記搬送方向と直交する幅方向において、前記支持面よりも外側に配置され、前記メディアから放射される赤外線を、前記幅方向側から検出することを特徴とする記録装置。
【請求項３】
請求項１又は２に記載の記録装置であって、
前記支持面と前記検出部との間に、電磁波を遮断する隔壁を備え、
前記隔壁には、開口が形成され、
前記検出部は、前記メディアから放射される赤外線を、前記開口を通じて検出することを特徴とする記録装置。
【発明の詳細な説明】
【技術分野】
【０００１】
本発明は、記録装置に関する。
【背景技術】
【０００２】
従来から、記録装置の一例として、メディアにインクなどの液体を付着させた後、メディアに付着した液体を加熱して乾燥することによって、液体が含有する成分をメディアに定着させるものがある。
【０００３】
液体を加熱して乾燥させる手段として、赤外線ヒーターなどの照射部と、ファンなどの送風部と、を用いることができる。照射部と送風部とを併用することによって、メディアに付着した液体が効率的に乾燥される。この場合、メディアの表面温度が所望の温度となるように、照射部と送風部とを制御するために、赤外線を検出する検出部が用いられる。
【０００４】
そして、記録装置は、検出部を用いてメディアの表面温度を測定することで、メディアの表面温度が所望の温度になっているかを判別する。仮に、メディアの表面温度が所望の温度になっていない場合には、メディアの表面温度が所望の温度となるように、照射部の出力と送風部の駆動量とが制御される。これにより、液体が含有する成分のメディアに対する定着が効率的に行われる。
【０００５】
例えば、そのような記録装置は、特許文献１に開示されている。特許文献１に開示された記録装置（印刷装置）について説明する。印刷装置は、媒体（メディア）に赤外線を放射する加熱部と、気流を発生させる送風部と、赤外線を検出する検出部と、を備える。
【０００６】
送風部が発生させる気流は、加熱部によって加熱される。メディアに付着した液体は、加熱部から放射される赤外線と、加熱された気流と、によって加熱され、乾燥される。また、記録装置は、検出部を用いて測定したメディアの表面温度に基づいて、加熱部の出力を制御する。
【先行技術文献】
【特許文献】
【０００７】
【特許文献１】特開２０１８−１５０１号公報
【発明の概要】
【発明が解決しようとする課題】
【０００８】
しかしながら、特許文献１に開示された記録装置において、検出部は、加熱部の反射板に形成された開口内に配置されている。このため、加熱された気流が検出部に衝突することによって、検出部の検出精度に影響を及ぼす虞がある。本来であれば、検出部は、メディアの表面温度を測定するためのものである。しかしながら、加熱された気流が検出部に衝突する場合には、検出部が気流の温度も測定してしまうことによって、メディアの表面温度の測定結果に誤差が生じる。
【０００９】
本発明の目的は、メディアの表面温度を測定するときの誤差を小さくできる記録装置を提供することである。
【課題を解決するための手段】
【００１０】
以下、上記課題を解決するための手段及びその作用効果について記載する。
上記課題を解決する記録装置は、メディアの第１面に液体を吐出する記録ヘッドと、前記メディアを搬送方向に搬送する搬送部と、前記メディアの前記第１面とは反対側の第２面を支持する支持面を有する支持部と、前記支持面に向けて赤外線を照射する照射部と、前記搬送方向の上流側又は下流側に向けて、前記支持面に沿った気流を発生させる送風部と、前記メディアから放射される赤外線を非接触で検出する検出部と、を備え、前記検出部は、前記気流の外側に配置され、前記メディアから放射される赤外線を、前記気流の外側から検出することを要旨とする。
【００１１】
この構成によれば、検出部は、支持面に沿った気流であって、且つ搬送方向の上流側又は下流側に向かって流れる気流の外側に配置されている。そして、検出部は、メディアから放射される赤外線を、気流の外側から検出する。このため、送風部が発生させる気流が検出部に衝突することが抑制される。したがって、気流から放射される赤外線を、検出部が検出してしまうことを抑制することができる。よって、メディアの表面温度を測定するときの誤差を小さくすることができる。
【００１２】
上記記録装置において、前記検出部は、前記搬送方向と直交する幅方向において、前記支持面よりも外側に配置され、前記メディアから放射される赤外線を、前記幅方向側から検出することが好ましい。
【００１３】
この構成によれば、支持面の全幅にわたって気流を発生させたとしても、検出部が幅方向において支持面よりも外側に配置されていることから、検出部に対して気流が衝突することを抑制することができる。
【００１４】
上記記録装置において、前記支持面と前記検出部との間に、電磁波を遮断する隔壁を備え、前記隔壁には、開口が形成され、前記検出部は、前記メディアから放射される赤外線を、前記開口を通じて検出することが好ましい。
【００１５】
本来であれば、検出部が検出する赤外線は、メディアから放射される赤外線である。このため、メディアから放射される赤外線以外の電磁波は、検出部にとってノイズとなる。即ち、照射部から照射される赤外線のうち、メディアによって反射された赤外線も検出部にとってノイズとなる。上記構成によれば、隔壁のうち開口以外の部分において、ノイズとなる電磁波が検出部に入射することを抑制することができる。
【図面の簡単な説明】
【００１６】
【図１】印刷装置を模式的に示す側面図。
【図２】図１に示す２−２線矢視断面図。
【図３】図２に示す３−３線矢視断面図。
【図４】印刷装置の電気的構成を示すブロック図。
【図５】第１変更例の印刷装置を模式的に示す断面図。
【図６】加熱空間内の位置とメディアの表面温度との関係を示す説明図。
【発明を実施するための形態】
【００１７】
以下、記録装置の一実施形態について説明する。
図１に示すように、記録装置の一例である印刷装置１１は、メディア９０を支持可能な支持部１２と、メディア９０を支持部１２に沿って搬送する搬送部１３と、メディア９０に印刷を行う印刷部１４と、印刷済みのメディア９０を加熱する加熱装置１５と、を備える。
【００１８】
印刷装置１１は、例えば、液体の一例であるインクを付着させることによってメディア９０に文字及び写真などの画像を印刷するインクジェット式のプリンターである。メディア９０は、連続紙など長尺状のものである。
【００１９】
支持部１２は、第１支持板１６、第２支持板１７、及び第３支持板１８を備える。各支持板１６，１７，１８は、搬送部１３により搬送されるメディア９０を支持するための支持面１９，２０，２１をそれぞれ有し、メディア９０の搬送方向において、上流側から順に第１支持板１６、第２支持板１７、第３支持板１８の順に並んで配置されている。各支持板１６，１７，１８のうち、第２支持板１７は、印刷部１４と対向するように位置し、第３支持板１８は、加熱装置１５と対向するように位置する。
【００２０】
以下の説明において、支持面２１上を通過する際のメディア９０の搬送方向をＹ方向としたときに、支持面２１に沿った方向であって、且つＹ方向と直交する方向をＸ方向とし、Ｙ方向及びＸ方向と直交する方向をＺ方向として説明する。Ｘ方向は、印刷装置１１の幅方向の一例である。以下の説明において、Ｘ方向に沿った長さを、単に「幅」と示す。本実施形態における印刷装置１１の幅方向は、長尺状であるメディア９０の幅方向と一致するが、一致しなくてもよい。また、以下の説明において、支持面２１を含み、支持面２１に沿って延びる平面を仮想平面９３として説明する。
【００２１】
搬送部１３は、メディア９０の搬送方向において、第１支持板１６よりも上流側に位置する第１回転軸２２と、第３支持板１８よりも下流側に位置する第２回転軸２３と、を備える。第１回転軸２２は、印刷前のメディア９０をロール状に巻き重ねて形成したロール体Ｒ１を回転可能に支持する。第２回転軸２３は、印刷済みのメディア９０をロール状に巻き取って形成したロール体Ｒ２を回転可能に支持する。
【００２２】
第１支持板１６と第２支持板１７との間、及び第２支持板１７と第３支持板１８との間には、メディア９０に接した状態で回転することによってメディア９０を搬送する搬送ローラー２４が配置されている。
【００２３】
印刷部１４は、メディア９０に液体を吐出する記録ヘッド２５と、記録ヘッド２５を保持するキャリッジ２６と、キャリッジ２６の移動を案内するガイド軸２７と、を備える。記録ヘッド２５は、第２支持板１７と対向するように配置され、第２支持板１７に支持されるメディア９０に液体を吐出可能である。
【００２４】
すなわち、記録ヘッド２５は、Ｘ方向に延びるガイド軸２７に沿って、キャリッジ２６とともに往復移動しながら液体を吐出可能である。そして、印刷部１４は、記録ヘッド２５から吐出した液体をメディア９０に付着させることによって、メディア９０に文字及び図形などの画像を印刷する。なお、記録ヘッド２５は、メディア９０の全幅にわたって、Ｘ方向に延びるラインヘッドであってもよい。
【００２５】
記録ヘッド２５から吐出された液体が付着するメディア９０の第１面は、例えば処理面９１である。処理面９１は、第２支持板１７の支持面２０にメディア９０が支持されたときに記録ヘッド２５と対向する面である。処理面９１に対する裏面である第２面は、例えば被支持面９２である。被支持面９２は、支持板１６，１７，１８の支持面１９，２０，２１によって支持される面である。
【００２６】
加熱装置１５は、印刷部１４によって画像を印刷され、搬送部１３によって搬送されるメディア９０を加熱する。加熱装置１５は、第３支持板１８に支持されるメディア９０の処理面９１を加熱し、加熱によりメディア９０に付着している液体の溶媒成分を蒸発させることによって、液体が含有する成分をメディア９０に定着させる。
【００２７】
加熱装置１５は、第３支持板１８の支持面２１に対向するように配置されている。加熱装置１５は、支持面２１に対して間隔をあけて配置されている。印刷装置１１において、メディア９０は、支持面２１と加熱装置１５との間を通過する。
【００２８】
以下、加熱装置１５について詳細に説明する。
図２及び図３に示すように、加熱装置１５は、メディア９０を加熱するための加熱部４１と、加熱部４１を収容する筐体４２と、気体を送風するための送風部４３と、を備える。加熱部４１は、第３支持板１８の支持面２１に支持されたメディア９０を加熱する。加熱部４１は、支持面２１と対向する位置に配置される。なお、第３支持板１８の支持面２１の幅は、メディア９０の幅よりも広い。
【００２９】
加熱部４１は、支持面２１に向けて赤外線を照射する照射部４５を備える。照射部４５は、支持面２１と対向する位置に配置される。本実施形態の照射部４５は、第１ヒーター管４５１及び第２ヒーター管４５２から構成される。第１ヒーター管４５１及び第２ヒーター管４５２は、Ｙ方向に並ぶ。第１ヒーター管４５１及び第２ヒーター管４５２は、それぞれＸ方向に平行に延びる。第１ヒーター管４５１及び第２ヒーター管４５２は、メディア９０が支持面２１に支持されているとき、メディア９０の処理面９１と対向する。
【００３０】
加熱部４１は、第１ヒーター管４５１及び第２ヒーター管４５２が放射する赤外線を反射する反射板４６を備える。反射板４６は、第１ヒーター管４５１及び第２ヒーター管４５２を挟んで、第３支持板１８の支持面２１とは反対側に配置されている。反射板４６は、Ｘ方向に延びる。反射板４６は、Ｙ方向に沿って延びるように配置されている。
【００３１】
反射板４６は、第１ヒーター管４５１のうち、第３支持板１８の支持面２１とは反対側の部分を囲うように、支持面２１から離間する方向に湾曲する第１湾曲部４６１を備える。反射板４６は、第２ヒーター管４５２のうち、第３支持板１８の支持面２１とは反対側の部分を囲うように、支持面２１から離間する方向に湾曲する第２湾曲部４６２を備える（図３参照）。
【００３２】
反射板４６は、第１湾曲部４６１におけるＹ方向側の端部と、第２湾曲部４６２におけるＹ方向とは反対方向側の端部とを繋ぐ連結部４６３を備える。反射板４６は、第１ヒーター管４５１及び第２ヒーター管４５２が放射する赤外線を、第３支持板１８の支持面２１に向けて反射する。照射部４５及び反射板４６の幅は、第３支持板１８の支持面２１の幅より広い。
【００３３】
以下、照射部４５から支持面２１又はメディア９０に直接的に入射する赤外線、反射板４６に反射されて支持面２１又はメディア９０に入射する赤外線、及び、支持面２１又はメディア９０で反射された赤外線を、第１赤外線９５として説明する（図３参照）。また、第３支持板１８及びメディア９０から放射される赤外線を、第２赤外線９６として説明する（図２参照）。
【００３４】
筐体４２は、加熱部４１を囲む内壁５１と、内壁５１を囲む外壁５２と、を備える。内壁５１及び外壁５２は、Ｘ方向に延びる。内壁５１及び外壁５２の幅は、第３支持板１８の支持面２１の幅と同じである。内壁５１は、Ｚ方向において、反射板４６を挟んで照射部４５とは反対側に配置されている。反射板４６は、内壁５１によって支持されている。
【００３５】
図３に示すように、外壁５２は、内壁５１の外側に配置されている。Ｘ方向と直交するＹＺ平面で切断したと仮定した場合に、外壁５２の断面は、内壁５１、照射部４５、及び反射板４６を囲った状態において、支持面２１に向けて開口するＣ字型である。
【００３６】
図２に示すように、筐体４２は、外壁５２のＸ方向における第１端部５２１を覆う第１外側壁５４と、第１端部５２１とはＸ方向において反対側の第２端部５２２を覆う第２外側壁５５と、を備える。
【００３７】
また、筐体４２は、加熱部４１と第１外側壁５４とを隔てる隔壁５３を備える。隔壁５３は、銅、アルミニウム、及び鉄など、電磁波を遮断する材料製である。即ち、隔壁５３は、電磁波を遮断する。隔壁５３は、Ｘ方向において、支持面２１の外側に配置されている。
【００３８】
隔壁５３及び第１外側壁５４は、Ｘ方向に隙間を空けて並ぶ。印刷装置１１において、隔壁５３によって支持面２１から隔離された収納空間６４は、隔壁５３と第１外側壁５４とによって区画されている。
【００３９】
印刷装置１１において、加熱部４１により加熱される加熱空間３０は、反射板４６、第３支持板１８の支持面２１、隔壁５３、及び第２外側壁５５によって区画されている。なお、反射板４６、第３支持板１８の支持面２１、隔壁５３、及び第２外側壁５５は、相互に繋がっていることに限らず、隙間を空けて配置されていてもよい。支持面２１は、メディア９０を支持していないとき、加熱空間３０に面する。
【００４０】
加熱空間３０において、支持面２１及びメディア９０は、照射部４５から照射される第１赤外線９５によって加熱される。即ち、支持面２１及びメディア９０には、加熱部４１と向かい合う領域の全体にわたって第１赤外線９５が入射する。加熱部４１は、仮想平面９３に向かって第１赤外線９５を照射するともいえる。また、加熱空間３０内の気体は、照射部４５から照射される第１赤外線９５によって加熱される。
【００４１】
また、印刷装置１１において、加熱空間３０を流通する気体を還流させる流路４４は、内壁５１、外壁５２、隔壁５３、及び第２外側壁５５によって区画されている。即ち、筐体４２は、流路４４を備えている。流路４４は、Ｙ方向における両端が支持面２１に向けて開口している。
【００４２】
図３に示すように、流路４４は、加熱部４１を囲むように区画されている。流路４４は、流路４４に気体を流入させるための流入口５７と、流路４４から気体を吹き出すための吹出口５８と、を備える。流入口５７及び吹出口５８は、加熱空間３０に対して開口している。これにより、流路４４と、メディア９０を加熱するための加熱空間３０とは連通している。
【００４３】
流入口５７は、加熱部４１よりもＹ方向側に位置する。吹出口５８は、加熱部４１よりもＹ方向とは反対方向側に位置する。吹出口５８は、Ｙ方向側を向くように開口している。言い換えれば、吹出口５８から吹き出された気体が、流入口５７が位置するＹ方向側に向けて流れるように、吹出口５８は開口している。
【００４４】
図２及び図３に示すように、送風部４３は、流路４４に配置されている。送風部４３は、流路４４内の気体を吹出口５８に向けて流動させる。また、送風部４３が流路４４内の気体を流動させることにより、流入口５７から流路４４に気体が流入する。例えば、流路４４内の気体は、空気である。本実施形態において、送風部４３は、隙間を空けてＸ方向に並ぶ複数のファン４３１である。送風部４３は、隙間を空けないでＸ方向に並ぶ複数のファン、又は単数のファンであってもよく、ポンプであってもよい。
【００４５】
送風部４３が駆動すると、矢印Ａで示すように、気体が吹出口５８から吹き出される。吹出口５８から吹き出された気体は、支持面２１に支持されたメディア９０に衝突した後、矢印Ｂで示すように、支持面２１又は処理面９１に沿ってＹ方向に流れる。
【００４６】
吹出口５８から吹き出され、処理面９１に沿って流れる気体は、一部が矢印Ｃに示すように流入口５７に流入される。流入口５７に流入された気体は、矢印Ｄに示すように、送風部４３に向けて流れる。即ち、気体の一部は、流路４４及び加熱空間３０を循環する。流路４４及び加熱空間３０は、気体の循環路５９を構成している。吹出口５８から吹き出され、処理面９１に沿って流れた気体の一部は、矢印Ｅに示すように、流入口５７と支持面２１との間から循環路５９の外部に排出される。
【００４７】
以上のように、送風部４３は、搬送方向の下流側であるＹ方向に向けて、支持面２１に沿った気流６０を発生させる。本明細書において示す気流６０は、吹出口５８から吹き出される気体の流れを意味する。即ち、本明細書において示す気流６０には、吹出口５８から吹き出される気体の流れが周囲の気体を巻き込むことによって、吹出口５８から吹き出される気体の流れの周囲において、付随的に発生する巻き込み気流を含まない。
【００４８】
気流６０の発生範囲は、微粒子を混入させて気体を可視化し、その可視化した気体の流れを観察又は撮影することによって特定することができる。気流６０の発生範囲は、風速センサーを用いて、風速と風向とを多点測定することによって特定することができる。また、気流６０の発生範囲は、加熱空間３０を区画するための構造、及び送風部４３の駆動量などをもとに、シミュレーションによって特定することができる。
【００４９】
図２に示すように、Ｙ方向と直交するＸＺ平面で切断したと仮定した場合、気流６０は、加熱空間３０の断面のうち全領域において発生する。流入口５７及び吹出口５８の幅は、第３支持板１８の支持面２１と同じである。加熱空間３０の幅は、第３支持板１８の支持面２１よりも広い。このため、気流６０は、第３支持板１８の支持面２１の全幅にわたって発生される。即ち、メディア９０が支持面２１によって支持されている場合、気流６０は、メディア９０の処理面９１の全幅にわたって発生される。
【００５０】
循環路５９を循環する気体は、加熱部４１により加熱されている。加熱部４１を囲むように流路４４が位置するため、加熱部４１によって生じる熱により、流路４４内の温度が高くなる。即ち、循環する気体が流路４４内を通過することで、加熱部４１によって生じる熱を回収し、循環する気体が温められて乾燥に再利用することができる。
【００５１】
加熱部４１がメディア９０を加熱すると、メディア９０に付着した液体のうち、主に溶媒成分が蒸発することによって蒸気が生じる。この蒸気によって循環路５９の湿度が上昇すると、メディア９０が乾燥しにくくなる。加熱装置１５は、吹出口５８から吹き出す気体の一部とともに蒸気を流入口５７と支持面２１との間から循環路５９外に排出させる。これにより、循環路５９における湿度の上昇が抑制される。
【００５２】
加熱装置１５は、支持面２１に支持されるメディア９０を加熱しつつ、メディア９０に気体を吹き付けることによって、メディア９０を乾燥させる。即ち、印刷済みのメディア９０が支持部１２に沿って搬送され、加熱空間３０に到達すると、照射部４５が発生させる熱と、吹出口５８から吹き出す気体とによって、そのメディア９０に付着した液体のうち溶媒成分の蒸発が促進される。加熱装置１５は、照射部４５からの赤外線と、送風部４３による気体の送風とで、処理面９１を乾燥させている。
【００５３】
図２及び図３に示すように、印刷装置１１は、赤外線を非接触で検出する検出部の一例である赤外線センサー６５を備える。赤外線センサー６５は、支持部１２又はメディア９０から放射される第２赤外線９６を非接触で検出可能となるように構成されている。
【００５４】
図２に示すように、赤外線センサー６５は、所定の面積を有する受光窓６５１と、受光素子６５２と、を備える。図中のドットパターンで示すように、赤外線センサー６５の受光領域６７は、受光素子６５２の中心点における法線を中心とし、視野角ｄ１の範囲である。ここで、視野角ｄ１は平面角（ラジアン）や立体角（ステラジアン）で表される。以降の説明では、簡単のためＹ方向における赤外線の反射について言及し、視野角ｄ１や反射角（入射角）については平面角で表現する。但し、Ｙ方向だけでなくＸ方向にも反射される場合も含む。この場合は、視野角ｄ１や反射角（入射角）は立体角で表現される。
【００５５】
視野角ｄ１の範囲内で受光窓６５１に入射する赤外線は、受光素子６５２に到達する。受光窓６５１に入射する赤外線であっても、視野角ｄ１の範囲外である角度にて入射する赤外線は、受光素子６５２に到達しない。即ち、赤外線センサー６５は、視野角ｄ１の範囲内において受光窓６５１に入射する赤外線を検出できる一方で、視野角ｄ１から外れた範囲において受光窓６５１に入射する赤外線を検出しない。
【００５６】
印刷装置１１は、収納空間６４内に支持されている基板６８を備える。基板６８には、赤外線センサー６５が実装されている。赤外線センサー６５は、基板６８を介して、収納空間６４内に支持されている。即ち、赤外線センサー６５は、収納空間６４に収納されている。
【００５７】
隔壁５３には、Ｘ方向に貫通しており、所定の面積を有する開口５３１が形成されている。開口５３１の面積は、赤外線センサー６５の受光領域６７を通過させようとしたときに、受光領域６７を遮蔽しない大きさであれば、どのような大きさであってもよい。赤外線センサー６５の受光領域６７は、仮想平面９３と交差する方向に延びる。赤外線センサー６５の受光領域６７は、隔壁５３の開口５３１を通過するように延びる。
【００５８】
以上のように、赤外線センサー６５は、Ｘ方向において、支持面２１よりも外側に配置されている。赤外線センサー６５は、メディア９０から放射される第２赤外線９６を、Ｘ方向側から検出する。本実施形態の赤外線センサー６５は、メディア９０のうち、処理面９１から放射される第２赤外線９６を検出する。また、赤外線センサー６５は、気流６０の外側に配置されている。赤外線センサー６５は、メディア９０から放射される第２赤外線９６を、気流６０の外側から検出する。
【００５９】
そして、印刷装置１１は、赤外線センサー６５と支持面２１との間に、電磁波を遮断する隔壁５３を備える。赤外線センサー６５は、メディア９０から放射される第２赤外線９６を、開口５３１を通じて検出する。隔壁５３は、赤外線センサー６５を気流６０から隔離するといえる。
【００６０】
図３に示すように、本実施形態の赤外線センサー６５は、メディア９０によって反射された第１赤外線９５を検出し難い位置に設けられている。
赤外線センサー６５は、第１ヒーター管４５１から放射された第１赤外線９５のうち、メディア９０によって反射された第１赤外線９５のＹ方向における反射角が、赤外線センサー６５の視野角ｄ１の範囲外となる位置に設けられる。言い換えれば、赤外線センサー６５の視野角ｄ１の範囲に、メディア９０によって反射された第１赤外線９５のＹ方向における反射角の範囲が重ならない。更に言えば、赤外線センサー６５の視野角ｄ１の範囲に、Ｙ方向から反射してきた第１赤外線９５の反射成分が入射しないように、赤外線センサー６５が配置されている。なお、ここでいう反射とは、例えば正反射を意味する。
【００６１】
また、赤外線センサー６５は、第２ヒーター管４５２から放射された第１赤外線９５のうち、メディア９０によって反射された第１赤外線９５のＹ方向における反射角が、赤外線センサー６５の視野角ｄ１の範囲外となる位置に設けられる。言い換えれば、赤外線センサー６５の視野角ｄ１の範囲に、メディア９０によって反射された第１赤外線９５のＹ方向における反射角の範囲が重ならない。更に言えば、赤外線センサー６５の視野角ｄ１の範囲に、Ｙ方向から反射してきた第１赤外線９５の反射成分が入射しないように、赤外線センサー６５が配置されている。なお、ここでいう反射とは、例えば正反射を意味する。
【００６２】
本実施形態の赤外線センサー６５は、Ｘ方向から見たときに、照射部４５よりも支持面２１に近接する。また、赤外線センサー６５は、Ｘ方向から見たときに、２つのヒーター管４５１，４５２の間に配置されている。即ち、赤外線センサー６５の受光領域６７は、Ｙ方向において、２つのヒーター管４５１，４５２の間にある。そして、開口５３１は、赤外線センサー６５の受光領域６７を遮断しない位置、及び大きさとなるように、隔壁５３に形成されている。
【００６３】
次に、印刷装置１１の電気的な構成について説明する。
図１及び図４に示すように、印刷装置１１は、制御部７０を備える。制御部７０は、ＣＰＵ７１と、ＲＡＭ及びＲＯＭなどを含む記憶部７２と、を備える。記憶部７２には、印刷装置１１を制御するための種々のプログラムが記憶されている。制御部７０は、各種処理のうち少なくとも一部の処理を実行する専用のハードウェア（特定用途向け集積回路：ＡＳＩＣ）を備えた構成であってもよい。即ち、制御部７０は、コンピュータープログラム（ソフトウェア）に従って動作する１つ以上のプロセッサ、ＡＳＩＣなどの１つ以上の専用のハードウェア、又はそれらの組み合わせを含んだ構成であってもよい。プロセッサは、ＣＰＵ、並びに、ＲＡＭ及びＲＯＭなどのメモリーを含む。メモリーは、処理をＣＰＵに実行させるように構成されたプログラムコード、又は指令を格納している。コンピューター可読媒体の一例であるメモリーは、汎用または専用のコンピューターでアクセスできるあらゆるものを含む。
【００６４】
加熱装置１５は、送風部４３を駆動するモーター７５と、モーター７５を駆動するための駆動回路７６と、を備える。駆動回路７６は、モーター７５に加えられる電圧を制御することによって、送風部４３の駆動量を制御する。駆動回路７６は、ＰＷＭ制御を行うことによって、送風部４３の駆動量を制御可能であってもよい。即ち、駆動回路７６は、モーター７５の制御により送風部４３の駆動量を制御可能であればよい。
【００６５】
制御部７０は、照射部４５、駆動回路７６、搬送部１３、及び印刷部１４と電気的に接続されている。制御部７０は、照射部４５、駆動回路７６、搬送部１３、及び印刷部１４を制御することで、印刷装置１１を動作させる。
【００６６】
制御部７０は、赤外線センサー６５と電気的に接続されている。制御部７０は、赤外線センサー６５が赤外線を検出して出力する検出信号を入力する。制御部７０は、赤外線センサー６５から入力する検出信号に基づいて、メディア９０のうち処理面９１の表面温度Ｔを監視できる。上述のように、制御部７０は、照射部４５及び駆動回路７６を制御する。したがって、制御部７０及び赤外線センサー６５は、加熱装置１５の一部といえる。
【００６７】
制御部７０は、測定した処理面９１の表面温度Ｔに基づいて、駆動回路７６を制御する。これにより、モーター７５に加えられる電圧は、処理面９１の表面温度Ｔの測定結果に基づいて変化する。即ち、送風部４３の駆動量は、処理面９１の表面温度Ｔの測定結果に基づいて変更される。送風部４３の駆動量が変化することによって、送風部４３から送風される気体の風速が変化する。送風部４３の駆動量が多いほど、気体の風速は速くなる。
【００６８】
以下、制御部７０が行う加熱装置１５の制御について説明する。
制御部７０は、照射部４５の出力を制御する。制御部７０は、照射部４５の出力を最大出力にて一定に保つ。ここでいう「一定」は、照射部４５の発する温度に影響を与えない、又は照射部４５の発する温度に与える影響が無視できる程度の出力の変動を含む。即ち、メディア９０の乾燥に影響を与えない程度の出力の変動は、「一定」に含まれる。
【００６９】
制御部７０は、処理面９１の表面温度Ｔの測定結果に基づいて送風部４３の駆動量を変更することによって、加熱空間３０を流れる気体の風速を変化させる。なお、制御部７０は、処理面９１の表面温度Ｔの測定結果に加えて、又は代えて、メディア９０の種類、及びメディア９０に吐出される液体の量のうち少なくとも一方に応じて、送風部４３の駆動量を変更してもよい。
【００７０】
本実施形態の制御部７０は、処理面９１の表面温度Ｔが許容温度を超えず、且つメディア９０に付着した液体を乾燥させるのに必要となる溶媒成分の蒸発量を確保できるように、送風部４３の駆動量を制御する。ここでいう「許容温度」は、メディア９０及びメディア９０に付着した液体にダメージを与えないように、シミュレーション及び実験の結果に基づいて決定される。
【００７１】
処理面９１の表面温度Ｔは、送風部４３から送風される気体の風速を速くすることによって低下する。処理面９１の表面温度Ｔは、送風部４３から送風される気体の風速を遅くすることによって上昇する。これは、風速が速くなるほど照射部４５から奪われる熱量が増加するとともに、循環路５９を循環する気体の換気率が上昇することによって、循環路５９を循環する気体の温度が低下することに起因する。
【００７２】
次に、印刷装置１１の作用について説明する。
本実施形態の制御部７０は、赤外線センサー６５による第２赤外線９６の検出結果に基づいて、メディア９０のうち処理面９１の表面温度Ｔを測定する。そして、制御部７０は、処理面９１の表面温度Ｔが許容温度を超えないように、処理面９１の表面温度Ｔの測定結果に基づいて、送風部４３の駆動量を変更する。
【００７３】
気流６０が赤外線センサー６５に衝突すると仮定する。この場合、赤外線センサー６５は、加熱された気流６０が放射する赤外線を検出する可能性が高くなる。本来であれば、赤外線センサー６５は、メディア９０から放射される第２赤外線９６を検出し、メディア９０の表面温度Ｔを測定するために設けられる。赤外線センサー６５に衝突する気流６０が放射する赤外線は、メディア９０から放射される第２赤外線９６を検出するときのノイズとなる。つまり、気流６０が赤外線センサー６５に衝突することは、メディア９０の表面温度Ｔの測定結果に誤差を生じさせる原因となる。
【００７４】
これに対して、図２に示すように、本実施形態の赤外線センサー６５は、気流６０の外側に配置されている。このため、赤外線センサー６５に対して、加熱された気流６０が直接的に衝突することが抑制される。したがって、加熱された気流６０から放射される赤外線が赤外線センサー６５によって検出されてしまうことを抑制することができる。
【００７５】
赤外線センサー６５は、気流６０の進行方向の一例であるＹ方向と直交するＸ方向において、気流６０の外側に配置されている。このため、赤外線センサー６５が気流６０の外側のうち気流６０の進行方向側に配置されている構成と比較して、気流６０の一部が赤外線センサー６５に到達することを抑制することができる。
【００７６】
本実施形態の赤外線センサー６５は、Ｘ方向において、支持面２１よりも外側に配置されている。したがって、本実施形態のように、支持面２１の全幅にわたって気流６０を発生させる場合であっても、気流６０が赤外線センサー６５に衝突することを抑制することができる。そして、支持面２１の全幅にわたって気流６０を発生させることで、メディア９０の全幅にわたって均等に加熱することが可能になる。
【００７７】
支持面２１と赤外線センサー６５の間には、隔壁５３が存在している。即ち、加熱空間３０と収納空間６４とは、隔壁５３によって隔てられている。このため、加熱空間３０の外部から進入した気流によって、気流６０の進行方向が変化した場合であっても、気流６０が赤外線センサー６５に衝突することが抑制される。
【００７８】
赤外線センサー６５が第２赤外線９６を検出するときのノイズとなる電磁波は、気流６０が赤外線センサー６５に衝突した状態において、その気流６０から放射される赤外線に限らない。例えば、メディア９０によってＸ方向に乱反射された赤外線、及び加熱された反射板４６及び内壁５１が放射する赤外線などが存在する。
【００７９】
これに対して、本実施形態の隔壁５３は、電磁波を遮断するように構成されている。このため、隔壁５３のうち少なくとも開口５３１以外の部分において、ノイズとなる電磁波が赤外線センサー６５に入射することを抑制することができる。また、赤外線センサー６５が収納されている収納空間６４内の温度が上昇することを抑制することができる。
【００８０】
また、本実施形態の隔壁５３は、Ｘ方向において、気流６０の外側に配置されている。このため、気流６０が隔壁５３に接触することによって、隔壁５３が加熱されることを抑制することができる。したがって、隔壁５３から放射される赤外線の量を削減できる。即ち、隔壁５３から放射される赤外線によって、収納空間６４内の気体が加熱されることも抑制することができる。
【００８１】
また、本実施形態の赤外線センサー６５は、照射部４５を構成する２つのヒーター管４５１，４５２の両方について、メディア９０によって反射された第１赤外線９５の反射角が、赤外線センサー６５の視野角ｄ１の範囲外となる位置に配置されている。したがって、メディア９０の表面温度Ｔを測定するときのノイズとなる成分が、赤外線センサー６５に検知されてしまうことを抑制することができる。
【００８２】
上記実施形態によれば、以下に示す効果を得ることができる。
（１）赤外線センサー６５は、気流６０の外側に配置されており、気流６０の外側から第２赤外線９６を検出する。よって、メディア９０の表面温度Ｔを測定するときの誤差を小さくすることができる。
【００８３】
（２）赤外線センサー６５は、幅方向の一例であるＸ方向において、支持面２１よりも外側に配置されている。そして、赤外線センサー６５は、Ｘ方向側から第２赤外線９６を検出する。このため、支持面２１の全幅にわたって気流６０を発生させたとしても、気流６０が赤外線センサー６５に衝突することが抑制される。
【００８４】
（３）印刷装置１１は、支持面２１と赤外線センサー６５との間に電磁波を遮断する隔壁５３を備える。このため、ノイズとなる電磁波が赤外線センサー６５によって検出されることを抑制することができる。
【００８５】
（４）加熱空間３０と収納空間６４とは、隔壁５３によって隔離されている。このため、赤外線センサー６５及び赤外線センサー６５の周囲温度が上昇することを抑制することができる。
【００８６】
（５）また、加熱空間３０の外部から進入した気流によって、気流６０に乱れが発生したときであっても、気流６０が赤外線センサー６５に衝突することを抑制することができる。
【００８７】
（６）隔壁５３は、Ｘ方向において、気流６０よりも外側に配置されている。したがって、隔壁５３が加熱されることによって、間接的に赤外線センサー６５が加熱されることを抑制することができる。
【００８８】
（７）赤外線センサー６５は、２つのヒーター管４５１，４５２の両方について、メディア９０によって反射された第１赤外線９５の反射角が、赤外線センサー６５の視野角ｄ１の範囲外となる位置に配置されている。したがって、メディア９０の表面温度Ｔを測定するときのノイズとなる成分が、赤外線センサー６５に検知されることを抑制することができる。
【００８９】
上記実施形態は、以下に示す変更例のように変更してもよい。また、上記実施形態に含まれる構成と下記変更例に含まれる構成とを任意に組み合わせてもよいし、下記変更例に含まれる構成同士を任意に組み合わせてもよい。なお、以下の説明において、既出の構成要素と同様の機能を有するものには同じ符号を付して、重複する説明を省略する。
【００９０】
・図５及び図６に示す第１変更例のように、赤外線センサー６５は、加熱空間３０にあるメディア９０のうち、その表面温度Ｔが最も高くなる位置から放射される第２赤外線９６を検出可能に構成されていてもよい。
【００９１】
第１位置Ｐ１は、加熱空間３０にメディア９０が進入する位置であり、第２位置Ｐ２は、Ｚ方向において第１ヒーター管４５１と対向する位置であり、第５位置Ｐ５は、Ｚ方向において第２ヒーター管４５２と対向する位置である。第３位置Ｐ３及び第４位置Ｐ４は、Ｙ方向における第２位置Ｐ２と第５位置Ｐ５との間の位置であり、第６位置Ｐ６及び第７位置Ｐ７は、第５位置Ｐ５よりもＹ方向側の位置である。
【００９２】
図６に示すように、加熱空間３０内において、メディア９０のうち処理面９１の表面温度Ｔは、メディア９０が加熱空間３０に進入する第１位置Ｐ１において最も低く、第１ヒーター管４５１と対向する第２位置Ｐ２に向かって上昇する。処理面９１の表面温度Ｔは、第２位置Ｐ２を通過した第３位置Ｐ３において、第１ピークを迎えるとともに、第４位置Ｐ４に向かって低下する。
【００９３】
処理面９１の表面温度Ｔは、第２ヒーター管４５２と対向する第５位置Ｐ５に向かって再び上昇するとともに、第５位置Ｐ５を通過した第６位置Ｐ６において、第２ピークを迎え、その後、第７位置Ｐ７に向かって低下する。即ち、処理面９１の表面温度Ｔは、加熱空間３０内において、第６位置Ｐ６を通過するときに最も高くなる。
【００９４】
図５に示すように、第１変更例における赤外線センサー６５は、その受光領域６７が、第６位置Ｐ６において支持面２１と交差する方向に延びるように配置されている。即ち、赤外線センサー６５は、第６位置Ｐ６を通過するメディア９０が放射する第２赤外線９６を検出する。なお、第１変更例において、赤外線センサー６５は、収納空間６４に収納されている。即ち、赤外線センサー６５は、隔壁５３の開口５３１を通じて第２赤外線９６を検出する。
【００９５】
第１変更例の構成によれば、加熱空間３０において、処理面９１の表面温度Ｔが最も高くなる位置において、処理面９１の表面温度Ｔを測定することによって、処理面９１の表面温度Ｔが許容温度を超えているか否かを、制御部７０が直接的に判別することができる。このため、制御部７０は、メディア９０の表面温度Ｔが許容温度を超えないように、送風部４３の駆動量を更に適切に制御できる。
【００９６】
なお、第１変更例の赤外線センサー６５は、照射部４５を構成する２つのヒーター管４５１，４５２の両方について、メディア９０によって反射された第１赤外線９５の反射角が、赤外線センサー６５の視野角ｄ１の範囲外となる位置に配置されている。
【００９７】
・図５に示す第１変更例のように、赤外線センサー６５は、照射部４５よりも搬送方向における下流側に配置されていてもよい。即ち、赤外線センサー６５は、第２ヒーター管４５２よりもＹ方向側に配置されていてもよい。第１変更例の構成であっても、メディア９０によって反射される第１赤外線９５の反射角を、赤外線センサー６５の視野角ｄ１の範囲外とすることができる。また逆に、赤外線センサー６５は、第１ヒーター管４５１よりもＹ方向とは反対方向側に配置されていてもよい。
【００９８】
・加熱装置１５において、流入口５７及び吹出口５８の幅は、第３支持板１８の支持面２１より広くてもよい。加熱装置１５において、流入口５７及び吹出口５８の幅は、第３支持板１８の支持面２１より狭くてもよい。即ち、送風部４３は、支持面２１の全幅にわたって気流６０を発生させてもよく、支持面２１の幅より狭い範囲で気流６０を発生させてもよい。
【００９９】
・加熱装置１５において、吹出口５８は、Ｘ方向に沿って複数に分割されていてもよい。即ち、送風部４３は、複数の気流６０を発生させる構成であってもよい。
・加熱装置１５において、送風部４３は、送風方向を反対方向にしてもよい。即ち、送風部４３は、上記実施形態における流入口５７及び吹出口５８の位置を入れ替えて、搬送方向における上流側に向けて気流６０を発生させてもよい。
【０１００】
・加熱装置１５において、筐体４２は、隔壁５３を備えなくてもよい。この場合、赤外線センサー６５は、開口５３１を介さないで、メディア９０が放射する第２赤外線９６を検出する。
【０１０１】
・加熱装置１５において、筐体４２は、第１外側壁５４を備えなくてもよい。即ち、収納空間６４は、支持面２１から隔壁５３によって隔離されておればよい。また、収納空間６４は、開口５３１以外の開口を有さない空間であってもよく、開口５３１とは異なる開口を有する空間であってもよい。
【０１０２】
・加熱装置１５において、筐体４２は、第２外側壁５５を備えなくてもよい。
・印刷装置１１は、検出部の一例として、複数の赤外線センサー６５を備えた構成であってもよい。例えば、上記実施形態における赤外線センサー６５を、第１赤外線センサー６５としたときに、第２赤外線センサー６５を、第２端部５２２側に設けてもよい。
【０１０３】
・印刷装置１１は、隔壁５３の開口５３１を覆う赤外線透過部材を備えてもよい。赤外線透過部材は、所定の厚みを有する板状であってもよく、薄膜状であってもよい。本変更例の構成によれば、気流６０が赤外線センサー６５に衝突することを更に抑制することができる。
【０１０４】
・赤外線センサー６５の位置は、気流６０の外側であれば、任意の位置に変更してもよい。例えば、赤外線センサー６５は、Ｘ方向における支持面２１の両端部よりも内側であって、気流６０の外側に配置されていてもよい。赤外線センサー６５は、気流６０の進行方向側であって、且つ流入口５７を挟んで吹出口５８とは反対側に配置されていてもよい。
【０１０５】
・赤外線センサー６５は、支持面２１及び仮想平面９３の少なくとも一方を挟んで、照射部４５とは反対側に配置されていてもよい。この場合、制御部７０は、赤外線センサー６５を用いて、メディア９０のうち被支持面９２の表面温度Ｔを測定することになる。制御部７０は、被支持面９２の表面温度Ｔの測定結果に基づいて、処理面９１の表面温度Ｔが許容温度を超えないように、照射部４５の出力及び送風部４３の駆動量のうち少なくとも一方を制御する。
【０１０６】
・印刷装置１１は、各支持板１６，１７，１８のうち、任意に選択できる１つ又は複数の支持板を、搬送ベルトに置き換えた構成であってもよい。また、第３支持板１８は、それぞれ支持面２１を有する複数の部品を含んだ構成であってもよい。
【０１０７】
・支持面２１は、構造物を備えない平滑面であることに限らない。支持面２１は、Ｙ方向又はＸ方向に沿って延びる複数の凸部を備えた構成であってもよい。
・照射部４５は、２つのヒーター管４５１，４５２であることに限らない。照射部４５は、１つ又は３つ以上のヒーター管であってもよく、パネル型又は球型の照射部を備えてもよい。
【０１０８】
・赤外線センサー６５は、メディア９０から放射される第２赤外線９６を隔壁５３の開口５３１を通じて入射可能であれば、受光領域６７の向きを任意の方向に変更してもよい。
【０１０９】
・赤外線センサー６５は、メディア９０が支持面２１によって支持されていない状態において、第３支持板１８に形成された開口など、何も無い空間に向かって受光領域６７が延びるように支持されていてもよい。この場合、制御部７０は、赤外線センサー６５の検出結果に基づいて、メディア９０が加熱空間３０にあるか否かを判定可能な構成であってもよい。本変更例によれば、メディア９０が加熱空間３０にあるか否かを検出するためのセンサーと、メディア９０の表面温度Ｔを測定するためのセンサーと、を共通化できる。
【０１１０】
・制御部７０は、測定した処理面９１の表面温度Ｔに基づいて、照射部４５の出力及び送風部４３から送風される気体の風速のうち、少なくとも一方を制御することによって、処理面９１の表面温度Ｔを制御するとよい。
【０１１１】
制御部７０は、送風部４３から送風される気体の風速を一定に制御する一方で、測定した処理面９１の表面温度Ｔに基づいて、照射部４５の出力を変化させてもよい。また、制御部７０は、測定した処理面９１の表面温度Ｔに基づいて、照射部４５の出力、及び送風部４３から送風される気体の風速の両方を変化させてもよい。
【０１１２】
・制御部７０は、メディア９０に吐出される液体の量、及びメディア９０の種類のうち少なくとも一方に応じて照射部４５の出力を変化させてもよい。
・流入口５７は、処理面９１に対向可能な位置に開口していなくてもよい。例えば、流入口５７は、加熱空間３０の外部から気体を取り入れるように開口していてもよい。この場合、送風部４３によって送風される気体は、循環しなくてもよい。
【０１１３】
・送風部４３は、流路４４を介することなく気流６０を発生させてもよい。例えば、送風部４３を処理面９１に向かい合うように配置して、送風部４３が駆動すると、気体が処理面９１に送風されるようにしてもよい。この場合、筐体４２は、流路４４を有していなくてもよい。
【０１１４】
・加熱装置１５を制御する制御部と、印刷部１４や搬送部１３を制御する制御部とを個別に設けてもよい。
・加熱装置１５は、印刷装置１１に対して着脱可能な構成であってもよい。
【０１１５】
・印刷装置１１は、ページ単位で印刷するページプリンターであってもよい。即ち、メディア９０は、長尺状のものに限定されず、短尺状のものであってもよい。
・メディア９０は、記録用紙に限らず、樹脂製フィルム、テキスタイル、コート紙、及び壁紙などであってもよい。
【０１１６】
・印刷部１４が吐出する液体はインクに限らず、例えば機能材料の粒子が液体に分散又は混合されてなる液状体などでもよい。例えば、印刷部１４が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を吐出してもよい。
【符号の説明】
【０１１７】
１１…印刷装置、１２…支持部、１３…搬送部、１５…加熱装置、１８…第３支持板、２１…支持面、２５…記録ヘッド、４１…加熱部、４２…筐体、４３…送風部、４３１…ファン、４４…流路、４５…照射部、４５１…第１ヒーター管、４６…反射板、４６１…第１湾曲部、４６３…連結部、５１…内壁、５２…外部、５２１…第１端部、５２２…第２端部、５３…隔壁、５３１…開口、５４…第１外側壁、５５…第２外側壁、５８…吹出口、５９…循環路、６０…気流、６４…収納空間、６５…赤外線センサー、６５１…受光窓、６５２…受光素子、６７…受光領域、６８…基板、９０…メディア、９１…処理面、９２…被支持面、９３…仮想平面、９５…第１赤外線、９６…第２赤外線、ｄ１…視野角、Ｘ，Ｙ，Ｚ…方向。
【図１】
2019177531.tif 000003
【図２】
2019177531.tif 000004
【図３】
2019177531.tif 000005
【図４】
2019177531.tif 000006
【図５】
2019177531.tif 000007
【図６】
2019177531.tif 000008